(57)【要約】【課題】外部からの振動と内部で発生する振動との干渉を低く抑えることにより、音質を向上できる電解コンデンサを提供する。【解決手段】電解液が含浸されたコンデンサ素子１を有底のアルミニウム製のケース２に収納するとともに、ケース２の開口部を封口ゴムや封口板等の封口体３によって封止した構造を備えている。ケース２の外周側面は、シリーズ名や定格等が印刷された樹脂製の外装チューブ５で覆われ、外装チューブ５とケース２との間には、紙製または布製の吸振シート６が挿入されていることを特徴とする。【選択図】図１
2007173693.tif 000002
【特許請求の範囲】
【請求項１】
陽極箔と陰極箔とがセパレータを介して巻回され、電解液が含浸されたコンデンサ素子と、該コンデンサ素子が収納された有底のケースと、該有底のケースの開口部を封止する封口体と、前記ケースの少なくとも外周側面を覆う樹脂製の外装チューブとを有する電解コンデンサにおいて、
前記外装チューブと前記ケースとの間に吸振シートが挿入されていることを特徴とする電解コンデンサ。
【請求項２】
請求項１において、前記吸振シートは、紙製または布製であることを特徴とする電解コンデンサ。
【発明の詳細な説明】
【技術分野】
【０００１】
本発明は、電解コンデンサに関するものであり、特にオーディオ機器での使用に適した電解コンデンサに関するものである。
【背景技術】
【０００２】
電解コンデンサは、一般に、図３に示すように、電解液が含浸されたコンデンサ素子１を有底のアルミニウム製のケース２に収納するとともに、ケース２の開口部を封口ゴムや封口板等の封口体３によって封止した構造を備えている。
ここで、コンデンサ素子１から伸びたリード線４は、封口体３を貫通して外部に引き出されている。
そして、ケース２の外周側面は、シリーズ名や定格等が印刷された樹脂製の外装チューブ５で覆われている。
【０００３】
電解コンデンサは、各種電子機器に用いられているが、オーディオ機器に使用した場合、その音質に影響を与えるとして、さらなる改良が求められている。
電解コンデンサは、構造や使用部品の材質等により、周囲の音による振動の影響を非常に受けやすく、それにより音質が変化すると考えられる。例えば、電気信号によりコンデンサ内部で物理的振動が発生すると、ケース２等の部品と共鳴し、内部での振動と外部からの振動とが干渉する結果、出力される情報に微妙な変化をもたらすと考えられる。
【０００４】
上記した内部での振動と外部からの振動との干渉を低減するため、これまで構造上の改良が色々と試みられている。
例えば、外部からの振動による音質劣化を抑えるため、上記の外装チューブ５をスポンジ状の絶縁性樹脂で形成したものがある（例えば特許文献１参照）。上記構造によれば、外装チューブを平らなシート状に形成した場合よりは音質改善が図られている。
【特許文献１】特開平１０−２５６１００号公報
【０００５】
しかしながら、上記構成ではチューブ用樹脂をスポンジ状に形成するための工数がかかる上、ケースとの接合性が十分ではなく、また、空隙が多量に存在するため、十分な音質効果が得られなかった。
【発明の開示】
【発明が解決しようとする課題】
【０００６】
そこで、本発明の課題は、外部からの振動と内部で発生する振動との干渉を低く抑えることにより、音質を向上できる電解コンデンサを提供することにある。
【課題を解決するための手段】
【０００７】
上記課題を解決するために、本発明では、電解液が含浸されたコンデンサ素子と、該コンデンサ素子が収納された有底のケースと、該有底のケースの開口部を封止する封口体と、前記ケースの少なくとも外周側面を覆う樹脂製の外装チューブとを有する電解コンデンサにおいて、前記外装チューブと前記ケースとの間に吸振シートが挿入されていることを特徴とする。
【０００８】
本発明において、前記吸振シートは、例えば、紙製または布製である。
【０００９】
本発明において、前記コンデンサ素子は、例えば、陽極箔と陰極箔とがセパレータを介して巻回されてなる。このような一般的な構造のコンデンサ素子でも音質を向上させることができ、陽極箔、セパレータ、陰極箔を積層した内部構造面での改良等を採用する必要がないので、音質に優れた電解コンデンサを安価に提供することができる。
【発明の効果】
【００１０】
本発明に係る電解コンデンサでは、外装チューブとケースとの間に紙製または布製等の吸振シートが挿入されているため、外部からの振動と内部で発生する振動との干渉を低く抑えることができ、オーディオ機器等に用いた際には音質の向上を図ることができる。
また、上記吸振シートは外装チューブとケースとの間に堅固に保持されるため、音質向上効果はさらに高められる。
【発明を実施するための最良の形態】
【００１１】
図１および図２は各々、本発明を適用した電解コンデンサの断面図である。図１に示すように、電解コンデンサは、電解液が含浸されたコンデンサ素子１を有底のアルミニウム製のケース２に収納するとともに、ケース２の開口部を封口ゴムや封口板等の封口体３によって封止した構造を備えている。
ここで、コンデンサ素子１から伸びたリード線４は、封口体３を貫通して外部に引き出されている。また、ケース２の外周側面は、シリーズ名や定格等が印刷された樹脂製の外装チューブ５で覆われている。
【００１２】
コンデンサ素子１は、陽極箔と陰極箔とがセパレータを介して巻回されてなる。陽極箔としては、アルミニウム箔にエッチング処理および陽極酸化処理が施されたものを用いることができる。陰極箔としては、アルミニウム箔にエッチング処理を施したもの、エッチング処理の後、陽極酸化処理を施したものを用いることができる。さらには、陽極箔および陰極箔として、エッチング処理を施さないプレーンのアルミニウム箔を用いることもある。
【００１３】
また、本形態では、外装チューブ５とケース２との間には、紙製または布製の吸振シート６が挿入されている。このような吸振シート６では、繊維が絡みあい、内部に空気層が形成されているため、振動を吸収する効果を有している。
【００１４】
吸振シート６の形状については、図１に示すように、外装チューブ５とケース２との間の全体に挿入した構成、または図２のように、外装チューブ５とケース２との間の一部に挿入した構成を採用することができる。図２においては、外装チューブ５とケース２との間において、吸振シート６をケース２の胴部に２本の帯状に巻いた構成としている。
【００１５】
本発明を適用した電解コンデンサでは、空気層をもった吸振シート６が、外装チューブ５とケース２との間に挿入され、堅固に保持されているため、電解コンデンサを使用した際に発生する自己振動を抑えることができ、固有のピーク周波数領域を和らげることができる。
また、オーディオ機器等にて使用中に発生する外部振動が内部のコンデンサ素子１に伝達されるのを防ぐことができ、振動による変調等を減少させることができる。
そして、挿入する吸振シート６の形状を変えると、空気層の形状が変化し、ピーク周波数の抑え方が変わって音質が変化する。
それ故、吸振シート６の材質や形状を変えて、音質を調節することができ、オーディオ機器等における音質の志向に合った電解コンデンサを提供することができる。
【実施例】
【００１６】
［実施例１］  ケースの胴部全体を一枚の帯状の吸振シートにて被覆（図１）
エッチング処理および酸化皮膜形成処理したアルミニウムの陽極箔と陰極箔とをセパレータを介して巻回したコンデンサ素子に電解液を含浸した後、有底のケースに入れ、封口体によりケースの開口部を封止し、６３Ｖ−１０００μＦの電解コンデンサ（サイズ：φ１８×３５．５ｍｍ）を作製した。
次に、ケースの胴部全体をマニラ麻繊維製の抄紙からなる吸振シートで覆った後、該吸振シートの外側を外装チューブで被覆した。
【００１７】
［実施例２］  ケースの胴部を２枚の帯状の吸振シートにて被覆（図２）
実施例１と同様の仕様にて電解コンデンサを作製し、ケース外周面のうち、リード線引出し側の端部から１５ｍｍの領域を、幅８ｍｍの帯状のマニラ麻繊維製紙からなる吸振シートで１周覆い、また、ケース底側の端部から１０ｍｍの領域を幅８ｍｍの帯状の同一仕様の吸振シートで一周覆った後、吸振シートの外側を外装チューブで被覆した。
【００１８】
（比較例１）
なお、比較例として、実施例１、２と同一仕様の部品を用いて、吸振シートは用いず、ケースの外側面をスポンジ状の絶縁性樹脂チューブで被覆した電解コンデンサを作製した。
【００１９】
（比較例２）
また、比較例２として、実施例１、２と同一仕様の部品、外装チューブを用いて、吸振シート無しの電解コンデンサを作製した。
【００２０】
次に、実施例１、２に係る電解コンデンサと、比較例１、２に係る電解コンデンサをコンパクトディスクプレイヤーとパワーアンプとの間にカップリング接続し、音質の比較を行なった。比較例２に係る電解コンデンサを接続した場合には、高音域にピークがあり、かつ、固い感じがして聞きづらい音質であったのに対し、実施例１、２に係る電解コンデンサを接続した場合には、高音域のピークが抑えられ、非常に聞きやすい音質であった。その結果を表１に示す。
また、比較例１に係る電解コンデンサを接続した場合には、比較例２よりは音質改善されているが、実施例１、２よりは聞きづらい音質であった。
【００２１】
【表１】
2007173693.tif 000003
【００２２】
但し、実施例２に係る電解コンデンサを接続した場合と、実施例１に係る電解コンデンサを接続した場合とを比較すると、実施例２に係る電解コンデンサを接続した場合には、高音域のピークを抑える度合いが若干弱くなっており、吸振シートで覆われていない部分では振動が抑えきれていないことが分かる。
このような音質については、オーディオ機器が志向する方向に基づいて選択されるべきものであるが、吸振シートを挿入すると音質が向上し、かつ、挿入した、吸振シートの形状により音質を調整できることが確認できた。
【００２３】
［その他の実施例］
なお、上記実施例の他、織布、不織布、発泡シート等の吸振シートを挿入した場合でも、同様の効果を得ることができた。
【図面の簡単な説明】
【００２４】
【図１】本発明を適用した電解コンデンサの断面図である。
【図２】本発明を適用した他の電解コンデンサの断面図である。
【図３】比較例の電解コンデンサの断面図である。
【符号の説明】
【００２５】
１  コンデンサ素子
２  ケース
３  封口体
４  リード線
５  外装チューブ
６  吸振シート
【図１】
2007173693.tif 000004
【図２】
2007173693.tif 000005
【図３】
2007173693.tif 000006